(57)【要約】【課題】家事を実施する意欲を高めることのできる家事支援情報提供サーバ、家事支援情報提供方法及び家事支援情報提供プログラムを提供する。【解決手段】家事支援情報提供サーバ１２は、ユーザが実施した家事に関する家事データを含むデータを当該ユーザと紐付いた端末１１から取得する取得部２２と、前記取得部２２が取得した前記データを前記ユーザと関連付けて記憶する記憶部２３と、前記記憶部２３に記憶された前記データに基づいて、前記家事の実施度を示すポイントを演算する演算部２５と、前記ユーザの前記ポイントを、当該ユーザに紐付いた前記端末１１に向けて送信する送信部２６と、を備える。【選択図】  図１
2018088164.tif 000002
【特許請求の範囲】
【請求項１】
ユーザが実施した家事に関する家事データを当該ユーザと紐付いた端末から取得する取得部と、
前記取得部が取得した前記家事データを前記ユーザと関連付けて記憶する記憶部と、
前記記憶部に記憶された前記家事データに基づいて、前記家事の実施度を示すポイントを演算する演算部と、
前記ユーザの前記ポイントを、当該ユーザに紐付いた前記端末に向けて送信する送信部と、を備える
家事支援情報提供サーバ。
【請求項２】
前記家事データには、前記家事の種類が含まれ、
前記演算部は、前記家事の種類に応じて、前記ポイントの大きさを変更する
請求項１に記載の家事支援情報提供サーバ。
【請求項３】
前記送信部は、前記端末に紐付いた前記ユーザと異なる前記ユーザと紐付いた前記端末に前記ポイントを送信する
請求項１又は２に記載の家事支援情報提供サーバ。
【請求項４】
前記記憶部は、前記ユーザの行動パターンに関する行動データを記憶し、
前記記憶部に記憶された前記行動データに基づいて、前記家事データを生成する生成部をさらに備える
請求項１乃至３の何れか一項に記載の家事支援情報提供サーバ。
【請求項５】
前記記憶部は、前記ユーザが属するグループを記憶し、
前記送信部は、前記グループに属する一の前記ユーザに関連付けられた前記家事データを、当該グループに属する他の前記ユーザに紐付いた前記端末に送信する
請求項１乃至４の何れか一項に記載の家事支援情報提供サーバ。
【請求項６】
ユーザが実施した家事に関する家事データを含むデータを当該ユーザと紐付いた端末から取得するステップと、
前記取得部が取得した前記家事データを前記ユーザと関連付けて記憶するステップと、
前記記憶部に記憶された前記家事データに基づいて、前記家事の実施度を示すポイントを演算するステップと、
前記ユーザの前記ポイントを、当該ユーザに紐付いた前記端末に向けて送信するステップと、を備える
家事支援情報提供方法。
【請求項７】
ユーザが実施した家事に関する家事データを含むデータを当該ユーザと紐付いた端末から取得するステップと、
前記取得部が取得した前記家事データを前記ユーザと関連付けて記憶するステップと、
前記記憶部に記憶された前記家事データに基づいて、前記家事の実施度を示すポイントを演算するステップと、
前記ユーザの前記ポイントを、当該ユーザに紐付いた前記端末に向けて送信するステップと、を家事支援情報提供サーバに実行させる
家事支援情報提供プログラム。
【発明の詳細な説明】
【技術分野】
【０００１】
本発明は、家事支援情報提供サーバ、家事支援情報提供方法及び家事支援情報提供プログラムに関する。
【背景技術】
【０００２】
従来から、家事の効率を向上させるために様々な器具及び装置が開発されている。例えば、特許文献１には、フックに突起部と受け部を設け、積み上げ可能にするハンガーが開示されている。これによれば、衣服をハンガーにかけ、干し場に吊架する作業を簡便にすることができる。また、特許文献２には、食器及び食品の両方の洗浄が可能な食器洗浄機が開示されている。これによれば、食器洗浄機で食品洗浄も可能になるため、家事の効率を向上させることができる。
【先行技術文献】
【特許文献】
【０００３】
【特許文献１】特開２０１５−２２６７３０号公報
【特許文献２】特開２０１５−１１６２６６号公報
【発明の概要】
【発明が解決しようとする課題】
【０００４】
ところが、上記のような器具及び装置では、家事の負担を軽減したり家事の効率を向上させたりすることはできても、家事を実施する意欲を向上させて、能動的に家事を実施させることは困難であった。
【０００５】
本発明は、こうした実情に鑑みてなされたものである。その目的は、家事を実施する意欲を高めることのできる家事支援情報提供サーバ、家事支援情報提供方法及び家事支援情報提供プログラムを提供することである。
【課題を解決するための手段】
【０００６】
上記課題を解決する家事支援情報提供サーバは、ユーザが実施した家事に関する家事データを当該ユーザと紐付いた端末から取得する取得部と、前記取得部が取得した前記家事データを前記ユーザと関連付けて記憶する記憶部と、前記記憶部に記憶された前記家事データに基づいて、前記家事の実施度を示すポイントを演算する演算部と、前記ユーザの前記ポイントを、当該ユーザに紐付いた前記端末に向けて送信する送信部と、を備える。
【０００７】
上記構成によれば、家事支援情報提供サーバは、ユーザから取得した家事データに基づいて家事の実施度を示すポイントを演算し、当該ポイントをユーザに紐付いた端末に向けて送信する。すなわち、ユーザは、これまでに自身が実施した家事を数値化されたポイントで把握できる。このため、ポイントが低い場合には当該ポイントを高くすべく家事を実施する意欲を高めたり、ポイントが高い場合には当該ポイントを高く保つべく家事を実施する意欲を高めたりすることができる。こうして、家事を実施する意欲を高めることができる。
【０００８】
また、上記家事支援情報提供サーバは、前記家事データには、前記家事の種類が含まれ、前記演算部は、前記家事の種類に応じて、前記ポイントの大きさを変更することが好ましい。
【０００９】
上記構成によれば、ユーザにとって苦手な家事や普段行わない家事のポイントをその他の家事に比べて大きくなるように変更することで、苦手な家事や普段行わない家事を実施する意欲を高めることができる。
【００１０】
また、上記家事支援情報提供サーバは、前記送信部は、前記端末に紐付いた前記ユーザと異なる前記ユーザと紐付いた前記端末に前記ポイントを送信することが好ましい。
【００１１】
上記構成によれば、ユーザに他のユーザのポイントを把握させることで、ユーザの競争心を刺激し、家事を実施する意欲をさらに高めることができる。
【００１２】
また、上記家事支援情報提供サーバは、前記記憶部は、前記ユーザの行動パターンに関する行動データを記憶し、前記記憶部に記憶された前記行動データに基づいて、前記家事データを生成する生成部をさらに備えることが好ましい。
【００１３】
上記構成によれば、家事支援情報提供サーバがユーザの行動データに基づいて家事データを生成するため、ユーザが自身の実施した家事を端末に入力する手間を低減できる。
【００１４】
また、前記記憶部は、前記ユーザが属するグループを記憶し、前記送信部は、前記グループに属する一の前記ユーザに関連付けられた前記家事データを、当該グループに属する他の前記ユーザに紐付いた前記端末に送信することが好ましい。
【００１５】
上記構成によれば、グループに属するユーザの家事データを、グループに属するユーザに紐付いた端末へ送信することによって、グループに属するユーザ同士で実施済みの家事を確認できる。このため、例えば、同一家庭内でグループを構成した場合、ユーザが家族の行った家事を把握することで、家事の分担が可能になる。
【００１６】
また、上記課題を解決する家事支援情報提供方法はユーザが実施した家事に関する家事データを含むデータを当該ユーザと紐付いた端末から取得するステップと、前記取得部が取得した前記家事データを前記ユーザと関連付けて記憶するステップと、前記記憶部に記憶された前記家事データに基づいて、前記家事の実施度を示すポイントを演算するステップと、前記ユーザの前記ポイントを、当該ユーザに紐付いた前記端末に向けて送信するステップと、を備える。
【００１７】
上記構成によれば、上記家事支援情報提供サーバと同様の効果を奏することができる。
【００１８】
また、上記課題を解決する家事支援情報提供プログラムは、ユーザが実施した家事に関する家事データを含むデータを当該ユーザと紐付いた端末から取得するステップと、前記取得部が取得した前記家事データを前記ユーザと関連付けて記憶するステップと、前記記憶部に記憶された前記家事データに基づいて、前記家事の実施度を示すポイントを演算するステップと、前記ユーザの前記ポイントを、当該ユーザに紐付いた前記端末に向けて送信するステップと、を家事支援情報提供サーバに実行させる。
【００１９】
上記構成によれば、上記家事支援情報提供サーバと同様の効果を奏することができる。
【図面の簡単な説明】
【００２０】
【図１】一実施形態に係る家事支援情報提供サーバを備える家事支援情報提供システムの構成図。
【図２】上記家事支援情報提供システムにおけるユーザの家電、行動パターン、家事及びポイントの対応図。
【図３】上記家事支援情報提供システムにおける端末のグループに属するユーザの家事データ表示画面。
【図４】上記家事支援情報提供サーバが実行する端末からデータを受信した際の処理を示すフローチャート。
【図５】上記家事支援情報提供サーバが一定期間毎に実行する処理を示すフローチャート。
【図６】上記家事支援情報提供システムにおけるユーザが実施した行動データ、使用状況データ、家事データ及びポイントデータの一覧表。
【発明を実施するための形態】
【００２１】
以下、家事支援情報提供サーバを備える家事支援情報提供システムの一実施形態について図面を参照しつつ説明する。
【００２２】
なお、本実施形態の家事支援情報提供システムは、当該システムの使用者（以下、「ユーザ」とも言う。）が実施した家事に応じて当該ユーザにポイントを付与することによって、当該ユーザの家事を実施する意欲を高めることを目的とするものである。
【００２３】
図１に示すように、家事支援情報提供システム１は、ユーザの位置を取得する位置取得部１０と、インターネットに接続されたインターネット家電１３（以下、「家電１３」とも言う。）と、ユーザによる情報入力の受付け及び情報の表示を行う複数の端末１１と、ユーザが実施した家事に応じてポイントを演算する家事支援情報提供サーバ１２（以下、「サーバ１２」とも言う。）と、を備える。位置取得部１０、家電１３、複数の端末１１及びサーバ１２は、無線ＬＡＮ等の通信機能を有しており、家事支援のための情報を送受信可能に構成されている。
【００２４】
位置取得部１０は、端末１１の所有者の住宅内に設置、もしくは当該ユーザに携帯される。家電１３は、ユーザの住宅内に設置される。端末１１は、ユーザに携帯される。サーバ１２は、位置取得部１０が設置されている住宅と異なる建物に設置される。本実施形態において、端末１１はユーザ毎に所有される。また、同一の住居で複数のユーザが生活する場合、図１に示すように、当該複数のユーザが所有する端末１１を同一のグループ４０に属する端末１１とする。この場合のグループ４０とは、例えば家族である。
【００２５】
位置取得部１０は、ユーザの現在位置に関するデータ（以下、「位置データ」とも言う。）を取得する。詳しくは、位置取得部１０は、位置データとして、時刻毎のユーザの位置情報を取得する。このため、位置取得部１０は、ユーザに携帯されるＧＰＳロガーとすればよい。また、位置データは、ユーザ判別情報と、ユーザの位置情報と、現在時刻と、が組み合わされたデータである。例えば、ユーザが住宅内のある地点にいる場合、位置取得部１０は、「ユーザ」が「ユーザの現在位置に相当する位置情報」に「現在時刻で」存在した、という位置データを取得する。位置取得部１０は、取得した位置データを端末１１へ送信する。
【００２６】
家電１３は、ユーザの家電の使用状況に関するデータである使用状況データ３１を取得する（図６参照）。家電１３は、通信機能を有する家電である。使用状況データ３１は、時刻毎のユーザの家電の使用状況である。また、家電１３は、ユーザ判別機能を有する。例えば、家電１３は、ユーザが割り当てられたボタンを選択する機能や、指紋認証等の個人識別手法によって、ユーザを判別する。したがって、使用状況データ３１は、ユーザ判別情報と、家電の使用状況と、現在時刻と、が組み合わされたデータである。
【００２７】
例えば、ユーザが通信機能を有するアイロンを使用した場合、家電１３は、「ユーザ」が「アイロン」を「現在時刻で」使用した、という使用状況データ３１を取得する。家電１３は、取得した使用状況データ３１を端末１１へ送信する。
【００２８】
端末１１は、例えばスマートフォンである。端末１１は、当該端末１１を所有するユーザに紐付いている。このため、家事支援情報提供システム１には、ユーザの数と等しい数の端末１１が含まれる。端末１１は、位置取得部１０から受信した位置データ及び家電１３から受信した使用状況データ３１を取得する。
【００２９】
端末１１は、入力部２０及び表示部２１を有する。入力部２０は、ユーザが情報を入力するためのインターフェースであり、例えば、タッチパッドやボタンである。端末１１は、ユーザが入力部２０を介して位置データ、使用状況データ３１及びユーザが実施した家事に関するデータである家事データ３３を入力することによって、ユーザの位置データ、使用状況データ３１及び家事データ３３を取得する。ここで、家事データ３３は、ユーザが実施した家事の種類であり、例えば、「料理をする」や「洗濯物を干す」といったデータである。すなわち、端末を介して家事データ３３を送信することで、インターネット家電を用いることなく家事を実施した場合でも、当該ユーザが家事を実施したことをサーバ１２に認識させることができる。
【００３０】
そして、端末１１は、使用状況データ３１、位置データ及び家事データ３３をサーバ１２へ送信する。
【００３１】
表示部２１は、ユーザに情報を表示するための画面であり、例えば、液晶ディスプレイである。表示部２１は、サーバ１２から受信した情報や入力部２０の入力画面等を表示する。
【００３２】
また、端末１１は、ユーザが属するグループ４０に属する他のユーザの家事データ３３をサーバ１２から受信する。そして、表示部２１は、サーバ１２から受信した家事データ３３を表示する。
【００３３】
サーバ１２は、端末１１から受信したデータからユーザが実施した家事を判定し、当該家事に応じたポイントを演算する。ポイントとは、家事データ３３の評価値である。
【００３４】
サーバ１２は、取得部２２、記憶部２３、生成部２４、演算部２５及び送信部２６を有する。
【００３５】
取得部２２は、ユーザと紐付いた端末１１から受信した位置データ、使用状況データ３１及び家事データ３３を取得する。
【００３６】
記憶部２３は、例えばＲＯＭやＲＡＭのような記憶媒体である。記憶部２３は、サーバ１２が行う処理を実行するためのプログラムを保存している。サーバ１２は、記憶部２３からプログラムを読み出し、実行することによって処理を実現する。また、記憶部２３は、取得部２２が取得した位置データ、使用状況データ３１及び家事データ３３をユーザと関連付けて記憶する。
【００３７】
また、記憶部２３は、対応表３０を記憶する。対応表３０とは、家事データ３３を生成したり、家事データ３３からポイントを演算したりするときに参照される表である。
【００３８】
対応表３０における家事を実施したユーザは、当該家事に対応するポイントをポイントデータ３４として得ることができる。ポイントデータ３４とは、ユーザが取得したポイントに関するデータである。ポイントデータ３４は、ユーザ判別情報と、ポイントの大きさと、が組み合わされたデータである。図２に示される対応表３０に含まれる家事である「洗い物をする」のように、家事に対応する行動パターン、家電及び実施（滞在）時間は無くてもよい。また、図２に示すように、対応表３０は、家事の種類に応じてポイントの大きさが異なり、一定ではない。対応表３０は、ユーザに紐付けられて、記憶部２３に記憶されている。
【００３９】
また、記憶部２３は、ユーザのポイントデータ３４の合計値（以下、「合計ポイント」とも言う。）を記憶する。ユーザの合計ポイントは、ユーザのポイントデータ３４を合計した値である。さらに、記憶部２３は、端末１１から受信したグループ４０及び当該グループ４０に属するユーザを関連付けて記憶する。
【００４０】
生成部２４は、記憶部２３に記憶された位置データから、行動データ３２を生成する。行動データ３２は、位置データに含まれるユーザの位置情報をユーザの行動パターン、つまり住宅における場所情報に変換したものである。生成部２４は、記憶部２３に記憶された位置データに含まれるユーザの位置情報に該当する場所情報を含む行動データ３２を生成する。
【００４１】
また、生成部２４は、記憶部２３に記憶されている使用状況データ３１及び行動データ３２から、実施（滞在）時間を生成する。さらに、生成部２４は、行動データ３２、使用状況データ３１、及びそれぞれに対応する実施（滞在）時間に当てはまる家事を対応表３０から選び出し、当該家事に関する家事データ３３を生成する。
【００４２】
演算部２５は、取得部２２及び生成部２４から取得した家事データ３３と対応表３０からユーザの家事の実施度、つまりユーザがどれだけ家事を実施したかを示すポイントを演算する。
【００４３】
家事データ３３は家事の種類であるため、演算部２５は、対応表３０において、取得部２２及び生成部２４から取得した家事データ３３に対応する家事に対応するポイントをポイントデータ３４としてユーザに付与する。これによって、家事の実施度に応じてポイントがユーザに与えられる。
【００４４】
また、演算部２５は、ユーザのポイントデータ３４を合計することで合計ポイントを演算する。さらに、演算部２５は、ユーザの合計ポイントに応じて順位付けを行い、ランキングを作成する。ランキングは、性別毎に分けて作成してもよいし、年代毎に分けて作成してもよい。これによって、ユーザが他のユーザに比べてどの程度家事を実施しているのかわかりやすくすることができる。
【００４５】
送信部２６は、端末１１に紐付いたユーザ及び当該ユーザと異なるユーザのポイントデータ３４及び合計ポイントを当該端末１１に向けて送信する。また、送信部２６は、ランキングを当該端末１１に送信する。これによって、ユーザは、当該ユーザの合計ポイント、他のユーザの合計ポイント及びランキングを端末１１の表示部２１によって確認することができる。
【００４６】
また、送信部２６は、端末１１に紐付いたユーザに関連付けられて記憶部２３に記憶された家事データ３３を、当該ユーザが属するグループ４０に属する他のユーザに紐付いた端末１１に向けて送信する。
【００４７】
次に、図４及び図５に示すフローチャートを参照して、サーバ１２が実行する処理の内容について説明する。
【００４８】
まず、図４に示すフローチャートを参照して、端末１１からデータを受信した際にサーバが実行する処理の内容について説明する。
【００４９】
図４に示すように、ステップＳ１では、サーバ１２は、端末１１から位置データ、使用状況データ３１又は家事データ３３を取得する。続いて、ステップＳ２において、サーバ１２は、ステップＳ１で取得したデータを記憶部２３にユーザと関連付けて記憶する。サーバ１２は、ステップＳ２が完了した後、ステップＳ３へ進む。
【００５０】
ステップＳ３は、位置データを取得した場合に実行される処理である。ステップＳ３において、サーバ１２は、位置データに含まれるユーザの位置情報に該当する行動データ３２を生成する。例えば、サーバ１２は、記憶部２３に位置情報と行動データ３２の対応を記憶していてもよいし、インターネット上の情報から位置情報と行動データ３２を対応付けしてもよい。サーバ１２は、ステップＳ３が完了した後、ステップＳ４へ進む。
【００５１】
ステップＳ４は、行動データ３２又は使用状況データ３１を取得した場合に実行される処理である。ステップＳ３において、サーバ１３は、行動データ３２又は使用状況データ３１に対応する実施（滞在）時間を生成する。生成部２４は、記憶部２３に記憶されている行動データ３２を時系列で見たときに、当該行動データ３２が記憶されている時間の長さに応じて、当該行動データ３２に対応する実施（滞在）時間を生成する。サーバ１２は、ステップＳ４が完了した後、ステップＳ５へ進む。
【００５２】
ステップＳ５では、サーバ１２は、対応表３０において、ステップＳ１で取得した行動データ３２、使用状況データ３１及びそれらに関連付けられた実施（滞在）時間に対応する家事に関する家事データ３３を生成する。
【００５３】
例えば、図２に示される対応表３０において、「アイロンをかける」は「ユーザ」が「アイロン」を「１５分」以上使用した場合、「ユーザ」が「アイロンをかける」を実施したと判定される。したがって、記憶部２３が使用状況データ３１として「ユーザ」が「アイロン」を使用したという使用状況データ３１に実施（滞在）時間として「１５分」が対応付けられていた場合、生成部２４は、「アイロンをかける」に関する家事データ３３を生成する。サーバ１２は、ステップＳ５が完了した後、ステップＳ６へ進む。
【００５４】
ステップＳ６では、サーバ１２は、対応表３０において、ステップＳ１及びステップＳ５で取得及び生成された家事データ３３に対応するポイントを演算し、ユーザにポイントデータ３４として付与する。つまり、サーバ１２は、対応表３０において、ステップＳ１及びステップＳ５で取得及び生成された家事データ３３に対応するポイントを、記憶部２３に記憶されているユーザの合計ポイントに加算する。その後、記憶部２３は、更新されたユーザの合計ポイントを記憶する。
【００５５】
また、記憶部２３は、ステップＳ１からステップＳ６で取得及び生成された行動データ３２、使用状況データ３１、それらに関連付けられた実施（滞在）時間、家事データ３３及びポイントデータ３４を、図６に示す一覧表５０に記憶する。ステップＳ６が完了した後、ステップＳ７へ進む。
【００５６】
ステップＳ７では、サーバ１２は、ユーザの合計ポイント、当該ユーザと異なるユーザの合計ポイントをユーザに紐付いた端末１１に向けて送信する。また、ユーザが属するグループ４０に属している他のユーザに紐付けられている家事データ３３をユーザに紐付いた端末１１に向けて送信する。図３に示すように、端末１１の表示部２１は、受信した家事データ３３を利用してグループ４０に属するユーザが実施した家事を一覧できるように表示する。また、表示部２１は、グループ４０に属するユーザが実施した家事にチェックを付ける。これによって、ユーザが実施した家事が、当該ユーザが属するグループ４０に属する他のユーザにわかるようにする。サーバ１２は、ステップＳ７が完了した後、処理を終了する。
【００５７】
次に、図５に示すフローチャートを参照して、サーバ１２が一定期間（例えば５分）毎に実行する処理の内容について説明する。
【００５８】
ステップＳ１１では、サーバ１２は、記憶部２４から当該記憶部２４に記憶されている全てのユーザそれぞれの合計ポイントを取得する。サーバ１２は、ステップＳ１１が完了した後、ステップＳ１２へ進む。
【００５９】
ステップＳ１２では、サーバ１２は、ユーザの合計ポイントが高い方が高い順位になるように当該ユーザに順位をつけ、ランキングを更新する。サーバ１２は、ステップＳ１２が完了した後、ステップＳ１３へ進む。
【００６０】
ステップＳ１３では、サーバ１２は、ステップＳ１２で更新されたランキングを各ユーザに紐付いた端末１１に送信する。サーバ１２は、ステップＳ１３が完了した後、処理を終了する。
【００６１】
上述の処理において、ステップＳ１が「ユーザが実施した家事に関する家事データを当該ユーザと紐付いた端末から取得するステップ」に該当する。また、ステップＳ２が「前記取得部が取得した前記家事データを前記ユーザと関連付けて記憶するステップ」に該当する。また、ステップＳ６が、「前記記憶部に記憶された前記家事データに基づいて、前記家事の実施度を示すポイントを演算するステップ」に該当する。また、ステップＳ７が、「前記ユーザの前記ポイントを、当該ユーザに紐付いた前記端末に向けて送信するステップ」に該当する。
【００６２】
次に、本実施形態における家事支援情報提供システム１の作用について説明する。
【００６３】
本実施形態の家事支援情報提供システム１のユーザは、同一住居内に住む夫婦とする。このとき、夫が家事を実施すると、サーバ１２上で当該ユーザにポイントが付与され、ランキングが上昇する。
【００６４】
例えば、夫がアイロンがけを開始したことをインターネット家電としてのアイロンの通信機能でサーバ１２が受信した後、１０分間アイロンを使用した場合、演算部２５は、「アイロンをかける」に対応する１５ポイントを夫に付与する。また、洗濯機による洗濯が完了したことを洗濯機からの通信機能で受信した後、ユーザが１０分間ベランダに出る行動を位置取得部１０からサーバ１２が受信した場合、演算部２５は、「洗濯物を干す」に対応する１０ポイントを夫に付与する。さらに、夫が端末１１の入力部２０から「料理する」を直接入力した場合、演算部２５は、１５ポイントを夫に付与する。
【００６５】
これによって、夫の合計ポイントが増えるため、夫にどの程度家事を実施したか把握させることができる。また、ユーザ間で取得した合計ポイントのランキングを作成するため、夫の競争心を刺激し、夫に率先して家事を実施させることができる。こうして、家事促進情報提供システム１は、ユーザの家事を実施する意欲を高めることができる。
【００６６】
また、この夫婦は同一住居内に住んでいることによって同一グループ４０に属しているため、お互いの家事データ３３を端末１１で確認することができる。これによって、妻は、夫が実施した家事を把握することができるため、重複して家事を実施してしまうことを抑制することができる。したがって、効率的に家事を実施することができる。
【００６７】
上述した実施形態によれば、以下に示す効果を得ることができる。
【００６８】
（１）上記実施形態によれば、サーバ１２は、取得した家事データ３３から家事の実施度を示すポイントに応じたポイントを演算し、当該ポイントをポイントデータ３４としてユーザに付与し、当該ポイントデータ３４及び合計ポイントをユーザに紐付いた端末１１に向けて送信する。すなわち、ユーザは、これまでに自身が実施した家事を数値化されたポイントデータ３４及び合計ポイントで把握できる。このため、合計ポイントが低い場合には当該合計ポイントを高くすべく家事を実施する意欲を高めたり、合計ポイントが高い場合には当該合計ポイントを高く保つべく家事を実施する意欲を高めたりすることができる。こうして、家事を実施する意欲を高めることができる。
【００６９】
（２）対応表３０において、演算部２５は、家事の種類に応じてポイントの大きさを変更する。このため、例えば、ユーザにとって苦手な家事や普段行わない家事のポイントをその他の家事に比べて大きくなるように変更することによって、苦手な家事や普段行わない家事を実施する意欲を高めることができる。
【００７０】
（３）送信部２６は、端末１１に紐付いたユーザと異なるユーザと紐付いた端末１１にポイントデータ３４及び合計ポイントを送信する。このため、ユーザの競争心を刺激し、家事を実施する意欲をさらに高めることができる。
【００７１】
（４）生成部２４は、行動データ３２、使用状況データ３１及びそれぞれに対応する実施（滞在）時間から家事データ３３を生成する。これによって、ユーザが自身の実施した家事を端末に入力する手間を低減できる。
【００７２】
（５）ユーザの家事データ３３を、当該ユーザが属するグループ４０に属する他のユーザに紐付いた端末１１へ送信することによって、グループ４０に属するユーザ同士で実施済みの家事を確認することができる。このため、例えば、同一家庭内でグループ４０を構成した場合、ユーザが家族の行った家事を把握することで、家事の分担が可能になる。
【００７３】
以下に、上述した実施形態の別の実施形態を説明する。
【００７４】
ユーザは、グループ４０に属するかどうかに関わらず、他のユーザの家事データ３３を見ることができるようにしてもよい。これによって、グループ４０を作成する手間を省くことができる。
【００７５】
また、位置取得部１０及び家電１３を用いずに、端末１１からだけ位置データ、使用状況データ３１及び家事データ３３を取得してもよい。一方、端末１１から位置データ、使用状況データ３１及び家事データ３３を取得しないようにしてもよい。
【００７６】
また、端末１１が位置取得部１０と同様の機能を有していてもよい。例えば、端末１１は、端末１１が有するＧＰＳ機能からユーザの移動や現在位置を取得してもよい。
【００７７】
また、ＨＥＭＳ（Ｈｏｍｅ  Ｅｎｅｒｇｙ  Ｍａｎａｇｅｍｅｎｔ  Ｓｙｓｔｅｍ）に代表される住宅内のエネルギー管理システムを利用して、ユーザの電気やガス、水道等の使用状況に関するデータを取得してもよい。例えば、ユーザが水道を使用した場合、ユーザが「水道」を「単位時間」使用した、というデータを取得するようにしてもよい。
【００７８】
さらに、ユーザの電気やガス、水道等の使用状況に関するデータを用いて、ユーザが実施した家事を推定してもよい。
【００７９】
また、位置取得部１０、家電１３及び端末１１以外からデータを取得できるようにしてもよい。例えば、通信機能を有する自動車から、ユーザの自動車の使用に関するデータを取得してもよい。これによって、子供の送迎や買い物の判定を容易にしたり、判定の精度を向上させたりすることができるようになる。
【００８０】
また、行動データ３２及び使用状況データ３１から家事データ３３を生成せずに、行動データ３２及び使用状況データ３１にポイントを付与してもよい。具体的には、サーバ１２から生成部２４を削除し、対応表３０から家事の列を削除してもよい。このとき、例えば、サーバ１２は、「アイロン」を「１５分以上」使用した使用状況データ３１を取得したときに、ユーザに「１５ポイント」付与するようにしてもよい。これによって、家事の種類を区別しなくてよくなる。
【００８１】
また、サーバ１２は、ランキングを作成しなくてもよいし、ユーザの端末１１に当該ユーザのポイントデータ３４だけ送信するようにしてもよい。この場合でも、ユーザは家事を実施することによってポイントデータ３４が付与されるため、ユーザの家事を実施する意欲を高めることができる。
【００８２】
また、図２に示される対応表３０は家事毎にポイントを設定しているが、全ての家事を一律に同じポイントにしてもよい。これによって、対応表３０のポイントの列を減らすことができるため、演算部２５が家事データ３３からポイントを演算する必要が無くなり、サーバ１２が行う処理の負荷を軽減することができる。
【００８３】
また、対応表３０の家電、行動パターン、家事、実施（滞在）時間及びポイントの対応を変更することができるようにしてもよい。例えば、対応表３０における「アイロンをかける」の家事に対応するポイントを「１５ポイント」から「２０ポイント」に変更することができるようになっていてもよい。このとき、例えば、ユーザが端末１１の入力部２０を介して対応表３０を変更するための要求を入力し、端末１１が当該要求をサーバ１２へ送信することによって、サーバ１２が対応表３０を変更するようにしてもよい。これによって、ユーザが対応表３０を自分に適した設定に変更することができるため、ユーザの家事を実施する意欲をより高めることができる。
【００８４】
また、家事の実施状況によって、実施した家事とポイントの対応を自動で変更してもよい。つまり、演算部３０は、家事の実施状況に応じてポイントの大きさを変更してもよい。詳しくは、ユーザが実施しない家事のポイントを徐々に上昇させたり、逆にユーザがよく実施する家事のポイントを徐々に減少させたりしてもよい。例えば、対応表３０において、ユーザが「アイロンをかける」を一週間実施しなかった場合、「アイロンをかける」に対応するポイントを２倍の「３０ポイント」にしてもよい。これによって、ユーザの苦手な家事や慣れていない家事の実施を促すことができる。
【００８５】
また、ユーザに付与するポイントデータ３４を、家事を実施した時間に比例させてもよい。例えば、ユーザが「アイロンをかける」を対応表３０の実施（滞在）時間の２倍の「３０分」かけて実施した場合、ユーザに付与するポイントデータ３４を「３０ポイント」にしてもよい。これによって、ユーザが大量に家事を実施したにもかかわらず、ユーザに付与されるポイントデータ３４が一定であることによるユーザの家事を実施する意欲の低下を抑制することができる。
【００８６】
また、ユーザの行動とユーザの手入力情報から、ユーザの実施した家事を推定する学習機能を有していてもよい。例えば、ユーザが「キッチン」に「３０分」いるときに「料理」と手入力した場合、サーバは、次回からユーザが「キッチン」に「３０分」いたときに「料理」を実施したと判定するようにしてもよい。これによって、ユーザが端末１１の入力部２０を介して対応表３０を変更することなく、家事データ３３に対して最適な使用状況データ３１、行動データ３２及び実施（滞在）時間に変更することができる。
【００８７】
また、位置取得部１０は、サーバ１２と直接送受信を行ってもよい。これによって、端末１１の処理負荷が軽減される。
【００８８】
また、一覧表５０に日付のデータを付与し、ランキングを一定期間毎に区切って作成するようにしてもよい。例えば、一日毎にその日付のデータを含む一覧表５０のデータから合計ポイントを演算し、ランキングを作成してもよい。これによって、ユーザは、同一期間内の家事の実施状況を他のユーザを比較することができる。
【００８９】
また、端末１１は、入力部２０を介して行動データ３２を直接取得するようにしてもよい。これによって、サーバ１２の処理負荷を軽減することができる。
【符号の説明】
【００９０】
１：家事促進情報提供システム
１０：位置取得部
１１：端末
１２：サーバ
１３：家電
２０：入力部
２１：表示部
２２：取得部
２３：記憶部
２４：生成部
２５：演算部
２６：送信部
３０：対応表
３１：使用状況データ
３２：行動データ
３３：家事データ
３４：ポイントデータ
４０：グループ
５０：一覧表
【図１】
2018088164.tif 000003
【図２】
2018088164.tif 000004
【図３】
2018088164.tif 000005
【図４】
2018088164.tif 000006
【図５】
2018088164.tif 000007
【図６】
2018088164.tif 000008